(57)【要約】【課題】従来のパチンコ機においては、遊技を演出する画像表示、効果音、及び電飾表示の整合が取れずにずれを生じる可能性があった。【解決手段】演出制御基板３０は、画像表示制御、音制御、及び電飾制御の３つの補助動作を行う。パチンコ機１の電源の電圧が低下して１２［Ｖ］以下になると、信号線６１を介して電源監視回路６０からサブＭＰＵ３１に電圧低下検知信号が出力され、パチンコ機１の遊技状態を示すバックアップデータが信号線６２を介してＲＡＭ３２に保持される。パチンコ機１の電源が再投入されて１２［Ｖ］以上になると、信号線６１を介して電源監視回路６０がサブＭＰＵ３１に電圧が復帰したことを検知する信号を出力し、サブＭＰＵ３１が起動する。起動後、サブＭＰＵ３１は保持されたバックアップデータを読込み、電源遮断前と同じ状態で画像表示、効果音の出力、及びランプ表示を開始する。【選択図】　図２
2004121285.tif 000002
【特許請求の範囲】
【請求項１】
遊技処理を制御するメイン制御基板と、このメイン制御基板からの指示に従って前記遊技処理の複数の補助動作を制御するサブ制御基板と、電源が遮断されたときの遊技状態を記憶しておく記憶手段とを備えている遊技機において、前記サブ制御基板は、複数の前記補助動作が行われる１枚のサブ制御基板として構成され、前記記憶手段を備えていることを特徴とする遊技機。
【請求項２】
複数の前記補助動作は、画像表示装置における画像表示を行う画像表示制御と、スピーカから出力される効果音を生成する音制御と、遊技状態に応じて電飾装置の発光を制御する電飾制御とであることを特徴とする請求項１に記載の遊技機。
【請求項３】
前記記憶手段は、電源の電圧低下を検知する電源監視回路と、電源の電圧低下時に遊技状態を記憶する不揮発性の書換可能記憶装置とから構成されていることを特徴とする請求項１または請求項２に記載の遊技機。
【発明の詳細な説明】
【０００１】
【発明の属する技術分野】
本発明は、電源遮断時における遊技状態を記憶しておく記憶手段を有する制御基板を備えて構成される遊技機に関するものである。
【０００２】
【従来の技術】
従来よりパチンコ機においては、停電などの電源遮断時において、中断した遊技を電源が遮断される前の状態から再開出来るようにするためのバックアップ機能を備えているものがある。このバックアップ機能は、メイン制御基板や各サブ制御基板にそれぞれ備えられたバックアップ機能付きＲＡＭ（ランダム・アクセス・メモリ）に、電源が遮断されたときの遊技状態を記憶しておくことによって実現されている。メイン制御基板はパチンコ機の遊技処理を制御しており、各サブ制御基板はこのメイン制御基板からの指示に従って遊技処理の補助動作を制御している。電源遮断後に再度電源が投入されて遊技が再開されるとき、電源遮断時に各サブ制御基板のＲＡＭに記憶された内容に基づき、電源遮断前の状態で遊技が再開するようにバックアップ機能が作用する（例えば、特許文献１参照。）。
【０００３】
ところが、このようにバックアップ機能を持つパチンコ機であっても、複数のサブ制御基板相互間でバックアップされた内容を完全に一致させることは難しく、例えば、バックアップされた内容を再生すると画像・音・電飾のそれぞれの要素の整合が取れずにずれを生じることがある。すなわち、これまでは、画像表示装置において画像表示を行う画像表示制御、遊技状態に応じて電飾装置の発光を制御する電飾制御、スピーカから出力される効果音を生成する音制御がそれぞれ別個のサブ制御基板において行われていたため、各要素毎にずれを生じる可能性が高く、演出表示として遊技者の目に耐えうるものではなかった。そこで、各サブ制御基板にはバックアップ機能自体を持たせないということもなされていたが、バックアップ機能がないものでは、例えば、画像表示制御を行う画像表示制御基板においてコマンドを受信するまで、画像表示装置には何も表示されず暗いままとなるという問題があった。
【０００４】
一方、特許文献２には、電源が遮断する直前に、メイン制御基板から各サブ制御基板の内蔵タイマに対して作動停止信号を送信するパチンコ機が開示されている。各サブ制御基板は、作動停止信号を受信すると、電源が遮断する直前に実行していたコマンドに基づく一連の遊技の経過時間あるいは残り時間の計時をストップさせて記憶する。再度電源が投入されて遊技が再開されるときにメイン制御基板から各サブ制御基板の内蔵タイマに対して作動開始信号を送信し、各サブ制御基板で電源遮断時に記憶した経過時間あるいは残り時間を用いることで、各サブ制御基板で経過時間あるいは残り時間が正確に揃う。従って、各サブ制御基板において再開される画像・音・電飾による演出が同期し、複数のサブ制御基板のＣＰＵが実行する遊技の同期進行性が保証される。
【０００５】
【特許文献１】
特開２００１−３４７０３２号公報（段落［００４５］〜［００４９］）
【特許文献２】
特開２００２−３５２２７号公報（段落［００１５］，［００５７］）
【０００６】
【発明が解決しようとする課題】
しかしながら、上記の特許文献２に開示されている従来のパチンコ機においては、一連の遊技の経過時間あるいは残り時間を決定する、メイン制御基板から送出される作動停止信号、及び遊技再開を促すメイン制御基板からの作動開始信号のそれぞれが各サブ制御基板で受信されるタイミングがずれて、画像・音・電飾の整合が取れずにずれを生じる可能性があった。
【０００７】
【課題を解決するための手段】
本発明はこのような課題を解決するためになされたもので、遊技処理を制御するメイン制御基板と、このメイン制御基板からの指示に従って遊技処理の複数の補助動作を制御するサブ制御基板と、電源が遮断されたときの遊技状態を記憶しておく記憶手段とを備えている遊技機において、サブ制御基板は、複数の補助動作が行われる１枚のサブ制御基板として構成され、記憶手段を備えていることを特徴とする。
【０００８】
この構成によれば、従来それぞれ別個の制御基板で制御されていたものが、１枚のサブ制御基板にまとめられて記憶手段を備えることで、サブ制御基板相互の起動誤差がなくなり、電源遮断後に再度電源が投入されて行われる各補助動作が各サブ制御基板相互において整合がとれる。
【０００９】
また、本発明は、複数の補助動作が、画像表示装置における画像表示を行う画像表示制御と、スピーカから出力される背景音（ＢＧＭ）といった効果音を生成する音制御と、遊技状態に応じて電飾装置の発光を制御する電飾制御とであることを特徴とする。
【００１０】
この構成によれば、画像表示装置における画像表示に同期して、スピーカから効果音が出力されると共に電飾の発光が行われる。
【００１１】
また、本発明は、記憶手段が、電源の電圧低下を検知する電源監視回路と、電源の電圧低下時に遊技状態を記憶する不揮発性の書換可能記憶装置とから構成されていることを特徴とする。
【００１２】
この構成によれば、電源監視回路が電源の電圧低下を検知すると、１枚のサブ制御基板のＣＰＵが、１つの不揮発性の書換可能記憶装置に電圧低下時の遊技機の遊技状態を記憶する。
【００１３】
【発明の実施の形態】
次に、本発明による遊技機をパチンコ機に適用した一実施形態について説明する。
【００１４】
図１は、本実施形態によるパチンコ機１の正面図である。パチンコ機１の正面には遊技盤２が設けられており、その下方には上皿３が設けられている。上皿３の下方右側には、レール４を介して遊技盤２へパチンコ球を打ち込む際に操作されるハンドル５が設けられている。また、遊技盤２の上方には電飾装置として飾りランプ６が設けられている。
【００１５】
遊技盤２の盤面中央には、液晶表示装置からなる画像表示装置である特別図柄表示装置９が設けられている。この特別図柄表示装置９には、左図柄、中図柄および右図柄からなる３列の複数の特別図柄が表示され、また、これら特別図柄の背後に演出画が表示される。特別図柄表示装置９の上方には、緑色ＬＥＤ（発光ダイオード）および赤色ＬＥＤが左右に並設された普通図柄表示装置１０が設けられており、この普通図柄表示装置１０を挟んで４つのＬＥＤからなる普通始動入賞個数表示部１１が設けられている。また、特別図柄表示装置９の下側には４つのＬＥＤからなる特別始動入賞個数表示部１２が設けられており、また、特別図柄表示装置９の左右には通過孔１３が設けられている。また、特別図柄表示装置９の下方には始動入賞口１４が設けられており、始動入賞口１４の下方には大入賞口１５、その左右には一般入賞口１６が設けられている。
【００１６】
普通始動入賞個数表示部１１には通過孔１３へのパチンコ球の通過が保留玉として最大４個まで記憶され、特別始動入賞個数表示部１２には始動入賞口１４へのパチンコ球の入賞が保留玉として最大４個まで記憶される。
【００１７】
図２は、本実施形態によるパチンコ機１の遊技動作を処理制御する電子回路の主な構成を示すブロック図である。この電子回路は、遊技処理を制御するメイン制御基板２０と、このメイン制御基板２０からの指示に従って遊技処理の複数の補助動作を制御する１枚の演出制御基板３０と、賞球等の払い出しを制御する払出制御基板５０とから構成されている。演出制御基板３０は、特別図柄表示装置９における画像表示を行う画像表示制御、スピーカ４１から出力される効果音を生成する音制御、及び遊技状態に応じて飾りランプ６の発光を制御する電飾制御の３つの補助動作を行う。
【００１８】
遊技処理を制御するメイン制御基板２０には、メインＭＰＵ（超小型演算処理装置）２１や不揮発性の書換可能記憶装置であるバックアップ機能付きメインＲＡＭ２２、メインＲＯＭ（読み出し専用メモリ）２３といった電子部品が実装されている。メインＲＯＭ２３には、メインＭＰＵ２１がパチンコ機１の遊技動作を処理制御するためのプログラムが記憶格納されており、その他、乱数抽選によって大当たり判定をする際に参照される大当たり判定テーブルや、演出を抽選する際に参照される演出条件選択テーブル等の各種確率テーブルも記憶格納されている。
【００１９】
メイン制御基板２０に接続された中継基板２４には、通過孔１３の内側に設けられ、パチンコ球が通過孔１３を通過するのを検知する通過球センサ１３ｓや、始動入賞口１４に入賞したパチンコ球を検知する始動入賞球センサ１４ｓが接続されている。また、大入賞口１５に入賞したパチンコ球を検知する大入賞球センサ１５ｓ、一般入賞口１６へ入賞したパチンコ球を検知する一般入賞球センサ１６ｓが接続されている。また、ハンドル５の操作によって発射装置５２から発射されるパチンコ球を検知する発射球センサ５２ｓ、および発射されたものの遊技盤２の盤面まで到達せずにレール４を戻ってきたパチンコ球を検知する戻り球センサ４ｓが接続されている。また、中継基板２４には、アクチュエータとして、緑色および赤色ＬＥＤからなる普通図柄表示装置１０、球受入口が拡張する始動入賞口１４、扉が開閉する大入賞口１５等が接続されている。
【００２０】
上記各センサ１３ｓ〜１６ｓがパチンコ球を検知すると、その検知信号はメイン制御基板２０のメインＭＰＵ２１に入力され、入力される検知信号に応じて、メインＭＰＵ２１は上記各アクチュエータ１０，１４，１５をそれぞれ駆動制御する。
【００２１】
パチンコ機１の演出動作を制御する演出制御基板３０や払出制御基板５０といったサブ制御基板に対しては、それぞれメイン制御基板２０から制御指令が送信され、演出制御基板３０によって特別図柄表示装置９や、飾りランプ６、スピーカ４１の動作が制御され、払出制御基板５０によって、賞球装置５１及び発射装置５２の動作が制御される。
【００２２】
演出制御基板３０には、サブＭＰＵ３１、バックアップ機能付きＲＡＭ３２、プログラムＲＯＭ３３が実装されている。サブＭＰＵ３１は、メイン制御基板２０から受信した制御指令の解釈や、ＶＤＰ（ビデオ・ディスプレイ・プロセッサ）３５のパラメータ設定を行う。また、サブＭＰＵ３１は、スピーカ４１を駆動するスピーカ駆動回路３９や、飾りランプ６を発光制御するランプ駆動回路４０にそれぞれ駆動信号を送信する。プログラムＲＯＭ３３には、サブＭＰＵ３１が特別図柄表示装置９や、飾りランプ６、スピーカ４１の動作を処理制御するための制御プログラムが記憶格納されている。ＲＡＭ３２は、サブＭＰＵ３１が上記制御プログラムに従って処理制御を行う際の一時的な記憶手段となると共に、電源が遮断されたときのパチンコ機１の遊技状態を記憶しておく不揮発性の書換可能記憶装置としても機能する。
【００２３】
また、演出制御基板３０には、画像ＲＯＭ３４、ＶＤＰ３５、Ｄ／Ａ（デジタル／アナログ）変換器３６、ＣＴＣ（Ｃｏｕｎｔｅｒ　Ｔｉｍｅｒ　Ｃｉｒｃｕｉｔ）３７およびリセットＩＣ（集積回路）３８が実装されている。画像ＲＯＭ３４は、特別図柄表示装置９に表示する画像を形成するためのドットデータを記憶格納する。ＶＤＰ３５は、サブＭＰＵ３１で設定されたパラメータに応じて画像ＲＯＭ３４内のドットデータを読み込み、特別図柄表示装置９に表示するための画像データを生成する。Ｄ／Ａ変換器３６は、ＶＤＰ３５で生成された画像データをＲＧＢ（赤緑青）信号に変換し、特別図柄表示装置９に出力する。ＣＴＣ３７は、上記制御プログラムによるサブＭＰＵ３１の処理が異常な処理ルーチンに入ったことを検出すると、サブＭＰＵ３１およびＶＤＰ３５を初期状態に戻すためのリセット命令を発するウオッチドッグタイマ機能を果たす。リセットＩＣ３８は、ＣＴＣ３７からのリセット命令によりリセット信号を発する。
【００２４】
メインＭＰＵ２１は、始動入賞口１４へパチンコ球が入賞して始動入賞が発生すると大当たり判定を行う。演出制御基板３０は、この大当たり判定の結果に対応する態様で特別図柄を順次停止表示させ、大当たり判定が大当たり時の停止表示態様の直前の状態、つまり、左図柄と右図柄とが同一図柄で揃って停止表示されるリーチ状態になると、特別図柄表示装置９に特別図柄および演出画を用いてリーチ演出を行う。
【００２５】
この演出制御基板３０において、サブＭＰＵ３１、ＲＡＭ３２、プログラムＲＯＭ３３、及びスピーカ駆動回路３９から構成される部分は、メイン制御基板２０から出力される音発生指令信号に基づいて、スピーカ４１から出力される背景音（ＢＧＭ）といった効果音を生成する音制御部として機能する。また、サブＭＰＵ３１、ＲＡＭ３２、プログラムＲＯＭ３３、及びランプ駆動回路４０から構成される部分は、パチンコ機１の遊技状態に応じて飾りランプ６の発光を制御する電飾制御部として機能する。また、サブＭＰＵ３１、ＲＡＭ３２、プログラムＲＯＭ３３、画像ＲＯＭ３４、ＶＤＰ３５、Ｄ／Ａ変換器３６、ＣＴＣ３７、及びリセットＩＣ３８から構成される部分は、特別図柄表示装置９に特別図柄および演出画を変動表示させる画像表示制御部として機能する。
【００２６】
払出制御基板５０には、賞球を払い出す賞球装置５１および遊技盤２にパチンコ球を発射する発射装置５２が接続されている。払出制御基板５０は、各種入賞に応じてメイン制御基板２０から出力される払出指令信号に応じて賞球装置５１を駆動制御し、賞球を払い出させる。また、払出制御基板５０は、ハンドル５の操作に応じて発射装置５２を駆動制御し、パチンコ球を発射させる。
【００２７】
図３は、演出制御基板３０に設けられた、電源遮断時の遊技状態を記憶しておく記憶手段の構成を示すブロック図である。
【００２８】
記憶手段は、電源の電圧が低下したことを検知する電源監視回路６０と、電源の電圧低下時にパチンコ機１の遊技状態を記憶する前述したＲＡＭ３２とから構成されている。サブＭＰＵ３１は、電源監視回路６０から信号線６１を介して電圧監視信号を入力しており、また、電源監視回路６０を介して信号線６２でＲＡＭ３２と接続されている。また、電源監視回路６０は、メイン制御基板２０のメインＭＰＵ２１及びメインＲＡＭ２２に対してもこれと同様に接続されている。
【００２９】
上記の構成において、パチンコ機１が遊技状態にあるときに電源の電圧が低下して１２［Ｖ］以下になると、この電源の電圧の低下が電源監視回路６０によって検知され、信号線６１を介して電源監視回路６０からサブＭＰＵ３１に電圧低下を検知する電圧低下検知信号が出力される。電圧低下検知信号を入力したサブＭＰＵ３１は、このときのパチンコ機１の遊技状態を示すバックアップデータを信号線６２を介してＲＡＭ３２に待避し記憶する。さらに、電源の電圧が低下して５［Ｖ］以下になると、電源監視回路６０は、上記の信号線６２を介してのサブＭＰＵ３１からＲＡＭ３２へのアクセスを遮断し、ＲＡＭ３２はバックアップデータを保持し、外部からのアクセスを一切受け付けない状態となる。
【００３０】
メイン制御基板２０でも同様に、電源監視回路６０によって電圧の低下が検知されると、メインＭＰＵ２１の制御によってその時の遊技状態を示すバックアップデータがメインＲＡＭ２２にバックアップされる。
【００３１】
こうして電源が遮断された後、再度電源が投入されると、メイン制御基板２０及び演出制御基板３０は、それぞれバックアップ機能によりＲＡＭ２２，３２に保持されたバックアップデータに基づいて、電源遮断前の遊技状態の再生を行う。
【００３２】
特に演出制御基板３０においては、電源が再投入されてから電源の電圧が上昇して１２［Ｖ］以上になると、信号線６１を介して電源監視回路６０がサブＭＰＵ３１に電圧が復帰したことを検知する信号を出力し、サブＭＰＵ３１はこの信号を入力して起動する。起動後、ＲＡＭ３２に保持されたバックアップデータを読込み、特別図柄表示装置９、スピーカ４１、及び飾りランプ６の各装置において、電源遮断前の遊技状態と同じ状態で画像表示、効果音の出力、及びランプ表示を開始する。
【００３３】
このような本実施形態によるパチンコ機１によれば、上述したように、従来、画像表示制御基板、電飾制御基板、及び音制御基板においてそれぞれ別個に制御されていた画像表示制御、電飾制御、及び音制御が、１枚の演出制御基板３０によって行われる。さらに、この１枚のサブ制御基板に備えられている１つのＲＡＭ３２に各制御動作が同時にバックアップされるため、上記の各制御基板相互の起動誤差がなくなり、電源遮断後に再度電源が投入されて行われる画像，ランプ，及び音についての各補助動作の整合がとれる。このため、遊技者はバックアップされた各補助動作の再生に違和感を感じなくなり、遊技に集中することが出来る。
【００３４】
【発明の効果】
以上説明したように本発明による遊技機によれば、従来それぞれ別個の制御基板で制御されていたものが、１枚のサブ制御基板にまとめられて記憶手段を備えることで、サブ制御基板相互の起動誤差がなくなり、電源遮断後に再度電源が投入されて行われる各補助動作が各サブ制御基板相互において整合がとれる。このため、遊技者はバックアップされた各補助動作の再生に違和感を感じなくなり、遊技に集中することが出来る。
【００３５】
また、記憶手段が、電源の電圧低下を検知する電源監視回路と、電源の電圧低下時に遊技状態を記憶する不揮発性の書換可能記憶装置とから構成されている場合、電源監視回路が電源の電圧低下を検知すると、１枚のサブ制御基板のＣＰＵが、１つの不揮発性の書換可能記憶装置に電圧低下時の遊技機の遊技状態を記憶する。このため、電圧がさらに低下して完全に電源が遮断されても、各補助動作の遊技状態は書換可能記憶装置に同時に正しく保存され、電源再投入時に、電源が遮断される前の状態で正確にバックアップされた各補助動作の再生が行われる。
【図面の簡単な説明】
【図１】本発明の一実施形態によるパチンコ機の正面図である。
【図２】本発明の一実施形態によるパチンコ機の遊技動作を処理制御する電子回路の主な構成を示すブロック図である。
【図３】本発明の一実施形態によるパチンコ機に設けられた記憶手段の構成を示すブロック図である。
【符号の説明】
１…パチンコ機
６…飾りランプ
９…特別図柄表示装置
２０…メイン制御基板
２１…メインＭＰＵ
２２…バックアップ機能付きメインＲＡＭ
２３…メインＲＯＭ
３０…演出制御基板
３１…サブＭＰＵ
３２…バックアップ機能付きＲＡＭ
３３…プログラムＲＯＭ
３９…スピーカ駆動回路
４０…ランプ駆動回路
４１…スピーカ
６０…電源監視回路
【図１】
2004121285.tif 000003
【図２】
2004121285.tif 000004
【図３】
2004121285.tif 000005